(57)【要約】【課題】既存住宅の隣室間の遮音性を向上させるため、あるいは家庭内でピアノその他の楽器を演奏しても、屋外への騒音の遮音性に優れ、かつ長年の使用に耐え得る構造的にも優れた遮音パネルを提供することである。【解決手段】枠体１の表裏面に板材２１、２２を固設して中空パネル３を形成し、この中空パネル３の中空部３１に遮音板４を納装してなるとともに、該遮音板４が該表面側板材２１と該裏面側板材２２との間を遮蔽するよう該遮音板を中空部３１の一端上縁部３１１と他端下縁部３１２との間に斜めに架設してなる遮音パネルＡ。【選択図】図１
2013023961.tif 000002
【特許請求の範囲】
【請求項１】
枠体の表裏面に板材を固設して中空パネルを形成し、この中空パネルの中空部に遮音板を納装してなるとともに、該遮音板が該表面側板材と該裏面側板材との間を遮蔽するよう該遮音板を中空部の一端上縁部と他端下縁部との間に斜めに架設してなる遮音パネル。
【請求項２】
上記中空パネルの中空部に斜設された遮音板は、該遮音板の一端上縁部に裏面側板材に至る垂下支持板部が垂設されるとともに、該遮音板の他端下縁部に表面側板材に至る起立保持板部が立設され、全体として断面略Ｚ字型に形成された請求項１記載の遮音パネル。
【請求項３】
上記遮音板に形成した垂下支持板部および起立保持板部を振動吸収材で被覆してなる請求項２記載の遮音パネル。
【発明の詳細な説明】
【技術分野】
【０００１】
本願発明は遮音パネルに関する。さらに詳しくは、枠材を枠組みして形成された枠体とこの枠体の内部に納められた遮音部材と、上記枠体の表裏面をそれぞれ覆う板材とからなる遮音パネルに関するものである。
【背景技術】
【０００２】
近年、マンション等の集合住宅において、生活上発生する騒音を巡る問題が増えつつあり、壁を隔てた隣家へ騒音を漏らさないように配慮することが求められている。上記騒音を遮音するためには、境の壁の厚さを大きくすることが最善の策であるが、コンクリートの躯体の壁の部分を重く、厚くする必要があるため、建築費用が増大するという問題がある。
【０００３】
そこで、既存住宅の隣室間の遮音性を向上させるため、壁面に遮音シートや吸音パネル等の遮音部材を貼り付けることが行われている。しかしながら、上記遮音シート等を１枚だけ貼付することによって得られる遮音効果は十分ではなく、そのため、遮音部材をパネル化して既存壁に貼付することが考えられる。
【０００４】
例えば、本願図４（ａ）に示すように、枠材から形成された枠体６とこの枠体６の表裏面をそれぞれ覆う表層材８１、８２とからなり、パネル内部を中空化して軽量化を図るとともに、遮音性能を向上させた遮音パネルＤが知られている。しかしながら、中空の二重壁にした上記遮音パネルＤは中高音域での遮音性の向上がみられるが、低音域では太鼓状の共鳴透過現象が生じるため、特定の周波数帯の遮音性が低下する。
【０００５】
そこで、上記特定の周波数帯の遮音性を向上させるため本願図４（ｂ）に示すように、グラスウールなどの繊維状吸音材、ウレタンフォームなどの多孔質吸音材等、遮音材７を上記二重壁内に充填して低音域の透過を減じ、中高音域と低音域の遮音性を向上させた遮音パネルＥが公知である。
【０００６】
上記遮音パネルＥを製造するためには、本願図４（ｂ）に示す表層材８１、８２と枠体６とを接合する必要があり、例えば、グラスウールのような繊維状の遮音材７を内部に充填して枠体６と表層材８１、８２とを接着するとき、接着面にグラスウールが混入して接着性を阻害するという問題が生じる。しかしながら、上記接着性の阻害を改善するためには、グラスウールの混入を防止する工程を新たに加える必要があり、経済的に有利に遮音パネルＥを製造できるものとはいえない。
【０００７】
一方、上記した遮音材７に替えて複数の傾斜した隔壁からなる仕切り部を用いた吸音構造体が開示されている。すなわち、特開２０１０−１９１０３０号公報には、その図５、図６に示されるように、空気層に複数の傾斜した隔壁からなる仕切部を形成し、仕切部の各隔壁は、空気層を振動体に対して角度θで傾斜した複数個の空間に仕切られた吸音構造体が提案されている。
【０００８】
そして、空気の流れを制御し、擬似的に空気層の厚さを変更して吸音特性を変化させることができるとともに、吸音周波数帯域が広がり、吸音率が向上すると、その効果が述べられている。
【０００９】
しかしながら、上記図５、図６に示されているように、仕切り部が複数の傾斜した隔壁から構成され、かつ隔壁を角度θで傾斜して設ける必要があり、製造工程が複雑となって製造コストが大きくなるという問題がある。
【先行技術文献】
【特許文献】
【００１０】
【特許文献１】特開２０１０−１９１０３０号公報
【発明の概要】
【発明が解決しようとする課題】
【００１１】
本願発明はこのような状況に鑑みてなされたものであり、その目的は、マンション等において、壁を隔てた隣家へ騒音を漏らさないように壁面に貼着して用いられるとともに、家庭内で本格的なホームシアターを楽しんだり、ピアノその他の楽器を演奏したりしても、屋外への騒音を遮断することが可能で、かつ構造的にも優れた遮音パネルを提供することである。
【課題を解決するための手段】
【００１２】
上記課題を解決するために、本願請求項１に記載の発明に係る遮音パネルは、枠体の表裏面に板材を固設して中空パネルを形成し、この中空パネルの中空部に遮音板を納装してなるとともに、該遮音板が該表面側板材と該裏面側板材との間を遮蔽するよう該遮音板を中空部の一端上縁部と他端下縁部との間に斜めに架設してなることを特徴とする。
【００１３】
本願請求項２に記載の発明に係る遮音パネルは、上記請求項１に記載の発明において、上記中空パネルの中空部に斜設された遮音板は、該遮音板の一端上縁部に裏面側板材に至る垂下支持板部が垂設されるとともに、該遮音板の他端下縁部に表面側板材に至る起立保持板部が立設され、全体として断面略Ｚ字型に形成されたことを特徴とする。
【００１４】
本願請求項３に記載の発明に係る遮音パネルは、上記請求項２に記載の発明において、上記遮音板に形成した垂下支持板部および起立保持板部を振動吸収材で被覆してなることを特徴とする。
【発明の効果】
【００１５】
本願請求項１記載の発明に係る遮音パネルにおいては、枠体の表裏面に板材を固設して中空パネルを形成し、この中空パネルの中空部の一端上縁部と他端下縁部との間に遮音板を斜めに架設しているため、上記中空部が遮音板によって上下方向に非対称に分断され、上記枠体の表裏面に固設された表面側板材と裏面側板材とのそれぞれの振動方向が変更されるので、当該板材間の音波の伝達効果が悪くなり、遮音効果を向上させることができる。
【００１６】
また、例えば、安価な木質素材からなる遮音板を単に中空パネルの中空部に斜設するのみで、遮音効果の向上が図られるとともに、この遮音板が補強材として機能し、構造が簡単で強度に優れた遮音パネルとすることができる。
【００１７】
本願請求項２記載の発明に係る遮音パネルにおいては、上記遮音板は、その一端に垂下支持板部が垂設され、その他端には起立保持板部が立設され、全体として断面略Ｚ字型に形成されているため、遮音板が一層構造的に安定した状態で納装されることになり、従って、遮音パネルが音波による振動を受けてもその取り付け状態が安定しており、容易にぐらつくことはなく、長期間の使用に耐え得るという効果が得られる。
【００１８】
さらに、垂下支持板部と起立保持板部とが中空パネルの中空部に内設されることによって、遮音パネルＢ全体の重量が増加するため遮音効果も向上するという効果も得ることができる。
【００１９】
本願請求項３記載の発明に係る遮音パネルにおいては、上記遮音板に形成された垂下支持板部と起立保持板部とが音波振動をクッション性によって吸収する素材、例えば発泡ウレタン、軟質プラスチックス、ゴム類等の振動吸収材で被覆されているため、この振動吸収材が遮音板の振動エネルギーを吸収するとともに、表面側板材と裏面側板材の振動エネルギーをも吸収するので、遮音効果の一層の向上を図ることができる。
【図面の簡単な説明】
【００２０】
【図１】本願発明の第１実施形態に係る遮音パネルの構成を模式的に示す断面説明図である。
【図２】本願発明の第２実施形態に係る遮音パネルの構成を模式的に示す断面説明図である。
【図３】本願発明の第３実施形態に係る遮音パネルの構成を模式的に示す断面説明図である。
【図４】（ａ）は公知の遮音パネルを模式的に示す断面説明図、（ｂ）は他の公知の遮音パネルを模式的に示す断面説明図である。
【発明を実施するための形態】
【００２１】
以下、本願発明に係る遮音パネルの実施形態を、図面を参照して詳細に説明する。図１は、上記発明の第１実施形態にかかる遮音パネルＡの構成を模式的に示す断面説明図である。
【００２２】
図１に示すように、上記遮音パネルＡは、枠材を枠組みして形成された枠体１と該枠体１の表面側に固設された木質素材からなる表面側板材２１と裏面側に固設された同じく木質素材からなる裏面側板材２２とから中空パネル３を形成するとともに、上記中空パネル３内には同じく木質素材からなる遮音板４が納装されている。
【００２３】
図１に示すように、上記した遮音板４は、表面側板材２１と裏面側板材２２との間を遮蔽するように、上記中空パネル３の中空部３１の一端上縁部３１１と他端下縁部３１２との間に斜めに架設されている。このように、中空部３１が上下方向に非対称に分断されているため、表面側板材２１と裏面側板材２２の振動の振動方向が変更されるので共振することを防いで遮音性を高めることができる。
【００２４】
図２は、本願発明の第２実施形態にかかる遮音パネルＢの構成を模式的に示す断面説明図である。図２に示すように、上記遮音板４は、遮音板４の一端の上縁部に裏面側板材２２に至る垂下支持板部４１が垂設されるとともに、その他端の下縁部に表面側板材２１に至る起立保持板部４２が立設され、全体として断面略Ｚ字型に形成されている。
【００２５】
そして、上記垂下支持板部４１と遮音板４とで形成される角部が上記中空パネル３の中空部３１の一端上縁部３１１に嵌装され、また上記起立保持板部４２と遮音板４とで形成される角部が上記中空パネル３の中空部３１の他端下縁部３１２に嵌装されることによって上記中空パネル３の中空部３１を確実に仕切ることができる。
【００２６】
このように、中空パネル３の中空部３１が上下方向に非対称度となって分断されるため、表面側板材２１と裏面側板材２２との共振をさらに効率よく防いで遮音効果を高めることができる。
【００２７】
さらに、上記垂下支持板部４１と起立保持板部４２とによって、遮音板４が一層構造的に安定した状態で納装されるので、遮音パネルＢの耐用年数が向上する。例えば室外からの自動車の排ガス騒音等、中・低音域の音波や室内からのピアノの演奏音等中・高音の音波による振動を受けてもその取り付け状態が安定して容易にぐらつくことはなく、長期間の使用に耐え得る。
【００２８】
また、上記垂下支持板部４１と起立保持板部４２とが中空パネル３の中空部３１に内設されることによって中空パネル３全体の強度補強がなされ、かつ垂下支持板部４１と起立保持板部４２とが付設されることにより、遮音パネルＢ全体の重量が増加して遮音効果も向上する。
【００２９】
図３は、本願発明の第３実施形態にかかる遮音パネルＣの構成を模式的に示す断面説明図である。図３に示すように、上記遮音パネルＣは、図２に示す第２実施形態にかかる遮音パネルＢにおける断面略Ｚ字型の遮音板４に形成された垂下支持板部４１に振動吸収材５１被覆し、かつ起立保持板部４２に振動吸収材５２を被覆して構成されている。
【００３０】
すなわち、上記垂下支持板部４１、およびこの垂下支持板部４１と遮音板４とで形成される角部が振動吸収材５１で被覆されるとともに、上記起立保持板部４２、およびこの起立保持板部４２と遮音板４とで形成される角部が振動吸収材５２で被覆される。
【００３１】
ここで、上記振動吸収材５１、５２としては、クッション性によって音波振動を吸収する吸振性素材であれば特に限定されず用いられ、例えば発泡ウレタン、軟質プラスチックス、ゴム類等をあげることができる。
【００３２】
このように、振動吸収材５１、５２を介して断面略Ｚ字型に形成された遮音板４および垂下支持板部４１と起立保持板部４２とが上記中空パネル３の中空部３１に斜めに架設されるため、振動吸収材５１、５２が遮音板４の振動を吸収するとともに、枠体１の固設された表面側板材２１と裏面側板材２２の振動エネルギーをも吸収するので遮音効果をより一層向上させることができる。そして、マンション等の集合住宅において、隣家との境の壁面に本願発明に係る遮音パネルＣを貼り付けることによって騒音を遮断して防音性を向上させることができる。
【００３３】
なお、上記した第１、第２、第３の実施形態は遮音板として木質素材からなるものを用いた例について説明したが、木質素材のみならず、紙素材からなるハードボード等を用いてもよい。また、上記中空パネルの中空部にフェルト等の吸音材を充填してもよい。
【００３４】
さらに、本願発明の遮音パネルを遮音目的に使用するのみならず、遮音パネルそのものをオフィスや一般住宅の遮音パネルを兼用した間仕切りパネルとして用いてもよい。このように本願発明は設計変更自在であり、特許請求の範囲を逸脱しない限り、本願発明の技術的範囲に含まれる。
【符号の説明】
【００３５】
Ａ      本願発明の第１実施形態に係る遮音パネル
Ｂ      本願発明の第２実施形態に係る遮音パネル
Ｃ      本願発明の第３実施形態に係る遮音パネル
Ｄ      公知の遮音パネル
Ｅ      他の公知の遮音パネル
１      枠体
２１    表面側板材
２２    裏面側板材
３      中空パネル
３１    中空部
３１１  一端上縁部
３１２  他端下縁部
４      遮音板
４１    垂下支持板部
４２    起立保持板部
５１    振動吸収材
５２    振動吸収材
６      公知の遮音パネルにおける枠体
７      公知の遮音パネルにおける遮音材
８１    公知の遮音パネルにおける表層材
８２    公知の遮音パネルにおける表層材
【図１】
2013023961.tif 000003
【図２】
2013023961.tif 000004
【図３】
2013023961.tif 000005
【図４】
2013023961.tif 000006